(57)【要約】【課題】監視映像のうち重要な監視映像を選別することで、重要な映像の蓄積管理を行い、ハードディスクドライブを効率的に使用する。【解決手段】監視映像蓄積システム１００Ａでは、センター側で映像を長期保存しようとする際に、拠点側で一次保存した動画を映像ファイル評価機能により重要度でランク付けし、長期蓄積する。映像受信装置は、監視カメラＡの映像ファイルを受信する。記録映像とともに撮影開始時刻、終了時刻を保存する。監視カメラＡに関連付けられた扉Ａに関して、記録映像の開始〜終了期間分の入退室情報を、入退管理装置（拠点）から取得する。映像ファイル評価機能が、入退情報を利用して映像ファイルの重要度を評価する。最も単純なケースでは、動画撮影時間内（９：００−９：１０）に扉Ａを通行した回数を抽出し、通行回数が０の場合は「蓄積しない」、通行回数が１以上の場合は「蓄積する」と評価する。【選択図】図１
2012039284.tif 000002
【特許請求の範囲】
【請求項１】
動画データを記憶する動画データ記憶部と、
前記動画データの重要度を示す評価値の算出に使用する評価情報を記憶する評価情報記憶部と、
前記評価情報に所定の評価規則を適用することによって、前記動画データに対応する前記評価値を算出する評価部と、
前記評価部によって算出された前記評価値に応じた圧縮方式で、前記評価値に対応する前記動画データを圧縮する圧縮部と
を備えたことを特徴とする動画圧縮装置。
【請求項２】
前記動画圧縮装置は、さらに、
前記圧縮部によって圧縮された前記動画データを蓄積する圧縮動画データ蓄積部を備え、
前記圧縮部は、
圧縮された前記動画データの元データである前記動画データを、前記動画データ記憶部から消去することを特徴とする請求項１記載の動画圧縮装置。
【請求項３】
前記圧縮部は、
前記評価部によって算出された評価値が所定の値の場合には、前記評価値に対応する前記動画データを圧縮することなく、前記動画データ記憶部（ＲＡＭ）から消去することを特徴とする請求項２記載の動画圧縮装置。
【請求項４】
前記動画圧縮装置は、さらに、
前記圧縮部によって圧縮された前記動画データを、ネットワークを介して所定の装置に送信する送信部を備えたことを特徴とする請求項１〜３のいずれかに記載の動画圧縮装置。
【請求項５】
前記動画データ記憶部は、
前記動画データとして、人が入退場する監視対象箇所における人の入退場を監視する監視カメラによって撮影された監視カメラ動画データを記憶し、
前記関連情報記憶部は、
前記評価情報として、前記監視対象箇所における人の入退場の履歴を示す入退履歴情報を記憶することを特徴とする請求項１〜４のいずれかに記載の動画圧縮装置。
【請求項６】
端末装置と、センター装置と、拠点装置とを備え、
前記端末装置は、
動画データの配信要求を前記センター装置に送信し、
前記センター装置は、
前記端末装置から送信された前記配信要求を受信すると前記拠点装置に前記動画データの重要度を示す評価値の算出に使用する評価情報の送信を要求し、前記拠点装置から前記評価情報を受信すると、受信した前記評価情報に所定の評価規則を適用することによって前記動画データに対応する評価値を算出し、算出した評価値と、前記動画データに対する圧縮方式とを含む評価結果情報を前記端末装置に送信することを特徴とする動画配信システム。
【請求項７】
前記センター装置は、
前記評価結果情報に対する応答として前記端末装置から評価結果情報に含まれる圧縮方式の指定を含むダビング要求を受信した場合には、前記ダビング要求を前記拠点装置に転送し、
前記拠点装置は、
前記センター装置から前記ダビング要求を受信すると、前記ダビング要求に含まれる前記圧縮方式に従って圧縮した前記動画データを前記センター装置に送信し、
前記センター装置は、
前記拠点装置から受信した圧縮された前記動画データを前記端末装置に配信することを特徴とする請求項６記載の動画配信システム。
【請求項８】
コンピュータを、
動画データを記憶する動画データ記憶部、
前記動画データの重要度を示す評価値の算出に使用する評価情報を記憶する評価情報記憶部、
前記評価情報に所定の評価規則を適用することによって、前記動画データに対応する前記評価値を算出する評価部、
前記評価部によって算出された前記評価値に応じた圧縮方式で、前記評価値に対応する前記動画データを圧縮する圧縮部、
として機能させることを特徴とする動画圧縮プログラム。
【請求項９】
請求項８記載の動画圧縮プログラムを記録したコンピュータ読み取り可能な記録媒体。
【請求項１０】
動画データを記憶する工程と、
前記動画データの重要度を示す評価値の算出に使用する評価情報を記憶する工程と、
前記評価情報に所定の評価規則を適用することによって、前記動画データに対応する前記評価値を算出する工程と、
算出された前記評価値に応じた圧縮方式で、前記評価値に対応する前記動画データを圧縮する工程と
を備えたことを特徴とする動画圧縮方法。
【発明の詳細な説明】
【技術分野】
【０００１】
この発明はオフィスビル等の映像監視システムに一次記録された映像を、センターシステム等に転送・蓄積するバックアップシステムにおいて、監視映像の効率的な収集・蓄積方法に関する。
【背景技術】
【０００２】
映像監視システムでは、監視映像の蓄積を長期にわたっていかに適切に保存するかが課題である。監視カメラの映像を全て保存すると、保存するためのハードディスクドライブ（ＨＤＤ）の容量が大きくなり蓄積コストがかさんでしまう。また、例えば事件調査のために蓄積された監視映像を後に確認する場合、複数のカメラの映像を見直すのは時間と手間がかかる作業であった。監視映像の蓄積では、自動的に重要な映像を適切に保存・検索することが求められている。映像監視システムにおいて自動的に重要な映像を適切に残すために、監視映像に関連する監視員の操作履歴等を使って、映像の重要度付けを行うシステムが提案されている（特許文献１）。
【０００３】
また、長期映像蓄積システムでは、カメラの監視映像を圧縮率の高い映像フォーマットに変換後に蓄積する方式が提案されている（たとえば、非特許文献１）。例えば、送信された監視映像をセンター内のサーバでＨ．２６４形式に圧縮変換した後に長期保存し、蓄積映像領域を削減する方式が開示されている。
【先行技術文献】
【特許文献】
【０００４】
【特許文献１】特開２００８−１４１４２４号公報「監視システム」（株式会社東芝）
【非特許文献】
【０００５】
【非特許文献１】「監視映像蓄積ソリューション」、［ｏｎｌｉｎｅ］、パナソニック企業情報、［平成２２年４月１２日検索］、インターネット＜ｈｔｔｐ：／／ｐａｎａｓｏｎｉｃ．ｃｏ．ｊｐ／ｃｏｒｐ／ｎｅｗｓ／ｏｆｆｉｃｉａｌ．ｄａｔａ／ｄａｔａ．ｄｉｒ／ｊｎ０８０２０８−１／ｊｎ０８０２０８−１．ｈｔｍｌ＞
【発明の概要】
【発明が解決しようとする課題】
【０００６】
本発明は、監視映像を大量に記録、かつ配信する監視映像装置において、監視映像のうち重要な監視映像を選別することで、重要な映像の転送・蓄積管理を行い、ネットワーク帯域やハードディスクドライブを効率的に使用する映像監視装置の提供にある。
【課題を解決するための手段】
【０００７】
この発明の動画圧縮装置は、
動画データを記憶する動画データ記憶部と、
前記動画データの重要度を示す評価値の算出に使用する評価情報を記憶する評価情報記憶部と、
前記評価情報に所定の評価規則を適用することによって、前記動画データに対応する前記評価値を算出する評価部と、
前記評価部によって算出された前記評価値に応じた圧縮方式で、前記評価値に対応する前記動画データを圧縮する圧縮部と
を備えたことを特徴とする。
【発明の効果】
【０００８】
この発明により、映像のうち重要な映像の転送・蓄積管理の可能な装置を提供できる。
【図面の簡単な説明】
【０００９】
【図１】実施の形態１における監視映像蓄積システム１００Ａのシステム構成の概要。
【図２】実施の形態１における監視映像蓄積システム１００Ａの動作概要。
【図３】実施の形態１における監視映像蓄積システム１００Ａのシステム構成図。
【図４】実施の形態１における機器関連付けテーブル２６１−１。
【図５】実施の形態１における機器関連付けテーブル２６１−２。
【図６】実施の形態１における機器属性テーブル２６３。
【図７】実施の形態１における評価点計算用係数テーブル２６４。
【図８】実施の形態１における蓄積条件テーブル２６２。
【図９】実施の形態１における履歴データ５２１。
【図１０】実施の形態１における監視映像蓄積システム１００Ａの動作フローチャート。
【図１１】実施の形態２における監視映像蓄積システム１００Ｂのシステム構成の概要。
【図１２】実施の形態２における監視映像蓄積システム１００Ｂの動作概要。
【図１３】実施の形態２における監視映像蓄積システム１００Ｂのシステム構成図。
【図１４】実施の形態２における監視映像蓄積システム１００Ｂの動作フローチャート。
【図１５】実施の形態２における端末装置の表示画面。
【図１６】実施の形態２における端末装置の別の表示画面。
【図１７】実施の形態３における監視映像蓄積システム１００Ｃのシステム構成の概要。
【図１８】実施の形態３における監視映像蓄積システム１００Ｃの動作概要。
【図１９】実施の形態３における監視映像蓄積システム１００Ｃのシステム構成図。
【図２０】実施の形態３における監視映像蓄積システム１００Ｃの動作フローチャート。
【図２１】実施の形態４における映像蓄積装置の外観の一例。
【図２２】実施の形態４における映像蓄積装置のハードウェア構成。
【発明を実施するための形態】
【００１０】
以下に実施の形態を説明する。以下の実施の形態では、監視映像などの大容量ファイルを、この監視映像に関連づけられた入退室管理情報などを利用して、ファイルの重要度のランク付けを行う。そしてこの重要度と、予め定められた保存ポリシー、送信条件に従って保存、送信することにより、ストレージや帯域を効率的に利用する実施形態である。
【００１１】
実施の形態１．
図１〜図１０を参照して実施の形態１を説明する。実施の形態１は、映像のセンターバックアップ時に映像を評価し、評価結果であるその重要度により、事前設定された定義に従って、映像の蓄積方法を変更する実施形態である。
【００１２】
（監視映像蓄積システム１００Ａの概要）
図１は実施の形態１における監視映像蓄積システム１００Ａの概要を示すシステム構成図である。
図２は、監視映像蓄積システム１００Ａの動作シーケンスを示す。監視映像蓄積システム１００Ａは、映像監視システムで一時蓄積した映像ファイルをセンターで長期蓄積するシステムである。監視映像蓄積システム１００Ａでは、センター側で映像を長期保存しようとする際に、拠点側で一次保存した映像ファイル（動画）を映像ファイル評価機能により重要度でランク付けし、長期蓄積する。
（１）Ｓ１１：まず映像受信装置（センター）は、監視カメラＡの記録映像を映像ファイル（ｃａｍ−Ａ．ａｖｉなど）として受信する。記録映像とともに撮影開始時刻（例．○月○日９：００）と終了時刻（例．○月○日９：１０）を保存する。
（２）Ｓ１２：監視カメラＡに関連付けられた扉Ａに関して、記録映像の開始〜終了期間分の入退室情報を、入退情報蓄積サーバ（または入退管理装置）から取得する。入退情報は別途、現地の入退管理装置から入退情報蓄積サーバ（センター側の入退管理装置）へ蓄積される。
（３）Ｓ１３：映像ファイル評価機能が、入退情報を利用して映像（ｃａｍ−Ａ．ａｖｉ）の重要度を評価する。たとえば、最も単純なケースでは、動画撮影時間内（９：００−９：１０）に扉Ａを通行した回数を抽出し、通行回数が０の場合は「蓄積しない」、通行回数が１以上の場合は「蓄積する」と評価する。
（４）Ｓ１４：映像受信装置は、映像ファイル評価機能の評価結果に基づき、映像を蓄積する。評価結果が「映像蓄積する」の場合は、映像蓄積用ストレージに蓄積する。評価結果が「蓄積しない」の場合は当該映像ファイルを長期保存用エリアに蓄積しない（破棄する）。
【００１３】
（システムの全体構成）
図３を参照して、実施の形態１の監視映像蓄積システム１００Ａの構成を説明する。
【００１４】
監視映像蓄積システム１００Ａは、入退室管理システム５００、映像監視システム３０、及び映像蓄積装置２０を備える。
【００１５】
（入退室管理システム５００）
入退室管理システム５００は、入退室管理装置５０と、拠点に配置された複数の拠点側入退機器とを備える。拠点側入退機器とは、電気錠制御盤４１、入退認証装置４２（認証装置ともいう）、電気錠４３、及び履歴情報（評価情報）をデータベースとして格納する履歴情報データベース格納部４６（以下、履歴情報ＤＢともいう）などである。
【００１６】
（映像監視システム３０）
映像監視システム３０は、監視カメラ３１、監視カメラ３１の撮影した映像を記録する監視映像記録装置３２（監視レコーダともいう）、監視映像記録装置３２の記録した映像を表示する監視映像表示装置３３、監視映像記録装置３２の記録した映像を他の装置に送信する監視映像送信装置３４を備えている。
【００１７】
（映像蓄積装置２０）
映像蓄積装置２０は、蓄積映像管理部２１（圧縮部）、映像評価部２２（評価部）、評価情報収集部２３、映像収集部２４、映像を蓄積する蓄積映像ＤＢ２５（圧縮動画蓄積部）、及び各種のテーブルを格納するテーブル格納部２６を備える。
【００１８】
（ローカル通信ネットワーク１０）
ローカル通信ネットワーク１０はＩＰ通信可能な装置同士を相互接続するためのネットワークである。ローカル通信ネットワーク１０には、入退室管理装置（サーバ装置）５０、映像蓄積装置（サーバ装置）２０、監視映像送信装置３４、監視映像記録装置（監視レコーダ）３２、電気錠制御盤４１が接続される。ローカル通信ネットワーク１０は、一般的にはＬＡＮ（Ｌｏｃａｌ  Ａｒｅａ  Ｎｅｔｗｏｒｋ）であり、ネットワークスイッチとイーサネットケーブル（イーサネットは登録商標）によって構築する。
【００１９】
（遠隔通信ネットワーク１１）
遠隔通信ネットワーク１１はＷＡＮ（Ｗｉｄｅ  Ａｒｅａ  Ｎｅｔｗｏｒｋ）であり、センターと拠点との間を接続する通信システムである。その実現方式は広域イーサネット（イーサネットは登録商標）、ＩＰ−ＶＰＮなど様々な形態がある。一般にＷＡＮは回線帯域等に従った通信費を通信事業者に支払うため帯域を効率的に利用することが重要になる。
【００２０】
図３のうち遠隔通信ネットワーク１１で分離された下側のローカル通信ネットワーク１０は、ビルなどの設備用ネットワークである。遠隔通信ネットワーク１１の上側のローカル通信ネットワーク１０は、データセンター（センター）などのバックアップシステム側の通信ネットワークである。
なお、図３は典型的な例を示したのであり、遠隔通信ネットワーク１１をローカル通信ネットワーク１０（ＬＡＮ）で代替し、全てのシステム構成要素をビル内に配置し運用することもできる。
【００２１】
（映像監視システム３０）
映像監視システム３０の機能を簡単に説明する。ビルや敷地監視用の監視カメラ３１は、セキュリティ監視のために設置される。監視カメラ３１は、通常セキュリティを保つ必要がある敷地、ビル、部屋の出入り口に設置する。監視カメラ３１で撮影した映像は監視映像記録装置３２に記録するとともに、監視映像表示装置３３に表示する。通常、監視カメラ３１を複数台設置し、監視映像表示装置３３では画面を分割して各カメラの映像を表示し、監視員が監視する。監視映像送信装置３４は、監視映像記録装置３２内の映像を映像データ（ファイル）として取り出し、映像蓄積装置２０に送信する。図３では監視映像記録装置３２と監視映像送信装置３４はローカル通信ネットワーク１０に接続しているが、同一装置に監視映像記録装置３２の記録機能と、監視映像送信装置３４の送信機能とを持たせてもよい。
【００２２】
図３に示した監視カメラ３１及び監視映像表示装置３３はアナログ方式（ＮＴＳＣ）の接続として示している。近年では、監視カメラや表示装置はネットワーク対応のものもあり、このようなシステムでも良い。この場合、監視カメラ３１や監視映像表示装置３３はローカル通信ネットワーク１０に直接接続する。
【００２３】
（拠点側入退機器）
次に電気錠制御盤４１による入退室管理について説明する。近年ではセキュリティの高い部屋４５（エリア）の出入りを管理するために、電気錠４３を取り付けて入退場管理することが多い。当該システムでは、電気錠制御盤４１を介して電気錠４３と連動する入退認証装置４２を設置する。部屋４５に入場する場合、入場者はＩＣカード４４などの認証トークン（例：ＩＣカード社員証など）を入退認証装置４２にかざすことにより認証を行う。電気錠制御盤４１は上記認証操作によりＩＣカードに記録されたＩＤ情報を読み取り、利用者を特定し、入場が許可されているかどうかを認可データベースにより判断し、許可されていれば電気錠を開ける。また、これら一連の入場操作は電気錠制御盤４１内の履歴情報ＤＢ４６に履歴情報として保存される。なお、入退認証装置４２は、ＩＣカードの他にパスワードや指紋認証装置より代替することも可能である。図３では入退認証装置４２や電気錠４３は電気錠制御盤と接続した形態を示しているが、入退認証装置４２や電気錠４３はローカル通信ネットワーク１０に直接接続し、ローカル通信ネットワーク１０経由で制御信号をやりとりしてもよい。
【００２４】
（入退室管理装置５０）
入退室管理装置５０は、履歴情報ＤＢ４６に格納される入退操作、電気錠状態等の履歴情報を、ローカル通信ネットワーク１０及び遠隔通信ネットワーク１１を介して収集し、集中管理する。入退室管理装置５０は、遠隔通信ネットワーク１１及びローカル通信ネットワーク１０を介して複数の拠点の電気錠制御盤４１を群管理するための装置である。入退室管理装置５０は、利用者ＩＤ情報の登録・更新・失効管理、曜日・時間帯別の各エリアの入退場制御情報を一括管理するともに、電気錠４３の入退履歴を入退履歴収集部５１により遠隔通信ネットワーク１１を介して収集し、全履歴情報ＤＢ５２にて集中管理する。入退室管理装置５０は、収集した情報を適宜外部システムから参照可能とするインタフェースを持つ。
【００２５】
電気錠４３の設置された扉で入退場が制限されるエリアは、セキュリティレベルが高いエリアである。このため、近年では電気錠４３の設置された扉をさらに監視カメラで常時撮影し、セキュリティを強化するシステムが増加している。
【００２６】
（映像蓄積装置２０）
映像蓄積装置２０は、映像監視システム３０と入退室管理システム５００とを連動させることにより、蓄積映像の管理を効率化する装置である。映像蓄積装置２０は、蓄積映像管理部２１、映像評価部２２、評価情報収集部（履歴情報収集部）２３、映像収集部２４、蓄積映像ＤＢ２５、機器関連付けテーブル２６１、蓄積条件テーブル２６２、機器属性テーブル２６３などを備える。
【００２７】
以上、実施の形態１の監視映像蓄積システム１００Ａの概要を説明した。
【００２８】
次に、図４〜図９のテーブルを説明する。
【００２９】
（機器関連付けテーブル２６１−１）
図４は、機器関連付けテーブル２６１−１（第１の機器関連付けテーブル）を示す図である。映像蓄積装置２０は、機器関連付けテーブル２６１−１を有する。映像蓄積装置２０は、図４に示すように、事前に監視カメラのＩＤと、監視カメラにより撮影・監視する機器のＩＤとの関連付けを、機器関連付けテーブルに格納しているものとする。
【００３０】
図４の機器関連付けテーブル２６１−１では、電気錠制御盤ＩＤ、扉ＩＤ、認証装置ＩＤの組と、監視カメラＩＤとが関連付けられている例を示した。例えば、監視カメラＩＤ（１０１）で特定される監視カメラは、電気錠制御盤ＩＤ（１００）に接続された扉ＩＤ（１１０）を部屋の外側（入側の認証装置ＩＤ（１１１））を撮影していることを示す。
【００３１】
電気錠制御盤ＩＤと扉ＩＤとの認証装置ＩＤの組が特定するＩＤ（認証装置のＩＤ）は、いわば監視カメラで撮影しているエリアのＩＤといえるもので、監視カメラが監視する対象を示すものといえる。
【００３２】
映像蓄積装置２０の蓄積映像管理部２１は、機器関連付けテーブル２６１−１を用いることによって、機器（監視カメラ、電気錠制御盤、認証装置など）が設置されているエリアのセキュリティレベルを示すランク情報（エリアセキュリティランク）も管理する。一般にセキュリティ管理では、セキュリティランクの低いエリアからランクの高いエリアに推移する境界部分を重点的に監視する。例えば、セキュリティレベルの高い部屋の入退室では入室時の監視強化が重要であり、部屋を出る人を撮影した映像よりも、部屋に入る人を撮影した映像の重要度が高い場合が一般的である。
【００３３】
（機器関連付けテーブル２６１−２）
図５は第２の機器関連付けテーブルである機器関連付けテーブル２６１−２を示す図である。映像蓄積装置２０は、機器関連付けテーブル２６１−２を有する。機器関連付けテーブル２６１−２を用いることで、蓄積映像管理部２１は、監視カメラ３１（監視カメラＩＤ）と、その監視カメラ３１により撮影した映像を記録する監視レコーダである監視映像記録装置３２（監視レコーダＩＤ）との対応を管理する。機器関連付けテーブル２６１−２により、蓄積映像管理部２１は、目的の監視カメラ３１の映像を、どの監視レコーダ３２から収集するのかを特定する。
【００３４】
（機器属性テーブル２６３）
図６は、機器属性テーブル２６３を示す図である。映像蓄積装置２０は、機器属性テーブル２６３を有する。機器属性テーブル２６３には、監視カメラの機器属性情報（設置場所、記録画質、ＩＰアドレスなど）も予め設定されている。蓄積映像管理部２１は機器属性テーブル２６３を用いて、関連する情報を監視カメラＩＤにより検索できる。監視カメラ以外の機器（例えば、監視映像記録装置３２、電気錠制御盤４１、入退認証装置４２、電気錠４３）についても同様な機器属性テーブルにより機器属性を管理している。これらの情報の管理は当業者であれば容易に実施できるため詳細は省略する。
【００３５】
（評価点計算用係数テーブル２６４）
図７は、評価点計算用係数テーブル２６４を示す。映像蓄積装置２０は、評価点計算用係数テーブル２６４を有する。映像蓄積装置２０は映像評価部で対象映像を評価する際に必要となる、評価点計算用の係数を管理する。
【００３６】
（蓄積条件テーブル２６２）
図８は、蓄積条件テーブル２６２である。映像蓄積装置２０は、蓄積条件テーブル２６２を有する。後述するが、映像蓄積装置２０は映像の評価結果点により、蓄積の可否等を判断するため、蓄積条件テーブル２６２を参照する。蓄積映像管理部２１は、蓄積条件テーブル２６２も管理する。
【００３７】
（履歴データ５２１）
図９は、対応する映像の評価に使用する履歴データ５２１を示す図である。図９については後述する。
【００３８】
図１０は映像蓄積装置２０の動作を示す処理フローである。図１０を参照して映像蓄積装置２０の動作を説明する。
【００３９】
ステップＳ１０１において、蓄積映像管理部２１は、映像収集する監視カメラを特定する（この例では監視カメラＩＤ１０１の映像を収集する場合を想定する）。蓄積映像管理部２１は、監視映像記録装置３２に記録された監視カメラ映像のうち、収集対象とする期間も、開始時刻、終了時刻により決定する。一般的には、監視カメラＩＤや映像収集の開始・終了時刻は、ステップＳ１０１の開始時に引数として与える。
【００４０】
ステップＳ１０２では、蓄積映像管理部２１は、機器関連付けテーブル２６１により、特定された監視カメラに対応する入退認証装置４２を特定する。例えば、監視カメラ（ＩＤ１０１）が入室側から扉（ＩＤ１１０）及び認証装置（ＩＤ１１１）を撮影している場合、蓄積映像管理部２１は、これらの機器を検索し特定する。
【００４１】
ステップＳ１０３では、評価情報収集部２３が、監視カメラに関連するセキュリティ機器検索の評価を行うステップである。すなわち、監視カメラに関連付けられた評価装置（この例では、認証装置）、すなわち映像を評価するために関連づけられたセキュリティ機器（入退室認証装置）がある場合は、ステップＳ１０４以降において収集予定の映像の事前評価を行う。
【００４２】
ステップＳ１０２で関連する評価装置（認証装置）が抽出できない場合、収集予定の映像を他の手段で評価することができないため、ステップＳ１０３ではデフォルトの処理に推移する。通常デフォルトの処理は、評価情報収集部２３が映像をそのまま収集し、蓄積映像管理部２１がそのまま映像を保存する処理であり、ステップＳ１０７にジャンプし映像を収集・保存する。
【００４３】
ステップＳ１０４では、評価情報収集部２３は、映像評価装置である入退室管理装置５０から履歴情報（評価情報ともいう）を収集する。具体的には図９に示す履歴データのように、評価情報収集部２３は、全履歴情報ＤＢ５２のうち、映像収集予定期間（開始時刻から終了時刻まで）の当該監視カメラ（ＩＤ＝１０１）に関連する電気錠制御盤４１、扉（電気錠４３）、入退認証装置４２の履歴情報を収集する。
【００４４】
ステップＳ１０５では、映像評価部２２は、評価情報収集部２３の収集した履歴情報と、評価点計算用係数テーブル２６４とを用いて、収集予定の映像の評価点Ｓを計算することにより、履歴情報に対応する映像の評価を行う。評価計算方法の最も簡単な例を示すと、次の式のように、映像評価部２２は、履歴種別毎に種別毎の重み係数を乗じて総和を取ったものを評価点とする。
評価点の計算方法は数式であってもよいし、アルゴリズムであってもよい。以下の説明では、説明を簡略するために数式を用いて評価点を計算する場合を説明する。
【００４５】
【数１】
2012039284.tif 000003
【００４６】
ステップＳ１０６では、蓄積映像管理部２１（圧縮部）は、評価点により、その履歴情報に対応する映像の重要度を判断する。映像評価点Ｓが評価点閾値ＳＴより大きい場合（Ｓ＞ＳＴ）、処理はステップＳ１０７に進み、履歴情報に対応する監視映像の収集、蓄積処理が実行される。評価点が閾値以下の場合（Ｓ＜ＳＴ）は、映像蓄積装置２０内へその履歴情報に対応する映像を保存する重要性が低いため、以後の処理をスキップし処理を終了する。
【００４７】
ステップＳ１０６では、蓄積映像管理部２１（圧縮部）は、評価点Ｓの値に応じて、映像の保存先を変更するようにしてもよい。例えば、評価点Ｓが最重要閾値ＳＴ１より大きい場合（評価点Ｓ＞閾値ＳＴ１）、蓄積映像管理部２１は、後日の確認用に設けられた特定のフォルダに映像を保存する。最重要閾値ではないが重要である場合（閾値ＳＴ１≧評価点Ｓ＞閾値ＳＴ２）、蓄積映像管理部２１は、長期保存用のフォルダに保存し、閾値ＳＴ２より小さい場合は保存しないというように、評価点Ｓにより映像を分類してもよい。
【００４８】
ステップＳ１０７では、映像収集部２４は、監視映像送信装置３４に対して、映像収集命令を発行し映像収集処理を行う。監視映像送信装置３４は、監視映像記録装置３２より、指定された監視カメラの指定期間分の記録映像をファイル収集し、映像蓄積装置２０に送信する。なお、このステップＳ１０７の映像収集処理はステップＳ１０６の以前にあってもよい。つまりどこで映像を取得しても構わない。
【００４９】
ステップＳ１０８では、蓄積映像管理部２１は、収集した映像を、蓄積条件テーブル２６２に従って映像を蓄積する。例えば、蓄積映像管理部２１は、収集された映像ファイルを収集対象の監視カメラＩＤのフォルダの下に保存する。監視映像の開始時刻と終了時刻はメタ情報として映像ファイルのメタ情報領域やメタ情報用のファイルとして保存することができる。また、開始・終了時刻をファイル名に含めたりすることで管理することで分類管理することもできる。さらに映像評価計算結果である評価点Ｓや機器属性情報もメタ情報として保存し、あとで蓄積した映像ファイルを参照する際の補助情報として表示することができる。ステップＳ１０８で指定された蓄積領域に保存したら処理を終了する。
【００５０】
例えば、監視カメラ（ＩＤ１０１）が撮影して監視映像記録装置３２に保存された前日の映像を、映像蓄積装置２０にバックアップ収集する場合、図１０に示した処理を行う関数に、監視カメラＩＤ１０１及び開始・終了時刻指定する指定して処理させる。映像ファイルは一般にＭｏｔｉｏｎＪＰＥＧ、ＭＰＥＧなどのファイルであり、ファイルサイズが大きくなるため、適切な保存ファイルサイズになるように収集開始時刻、終了時刻を調整・指定する。例えば前日の映像を全て取得したい場合、収集期間は一時間単位として、開始・終了時刻を順次推移させながら図１０の処理を繰り返すことでバックアップを行うなどである。
【００５１】
上記のように処理すると、夜間など人の出入りがない時間帯の監視映像、すなわち重要度の低いと推定される監視映像の収集・蓄積を抑止することができるため、不要なＷＡＮ回線帯域の使用を抑えることができる。また、保存価値の低い監視映像は蓄積しないのでＨＤＤの使用を減らすことができ、コスト低減することができる、という利点がある。
【００５２】
以上のように、映像の重要度を電気錠制御盤などの入退室管理装置の他、セキュリティ機器等の履歴情報を利用して事前評価することにより、収集にかかわるネットワーク帯域や蓄積領域の削減を図ることにより運用を含めたシステムコストを抑えることができる。
【００５３】
実施の形態１の映像蓄積装置２０（動画圧縮装置）は、監視映像送信装置３４から監視映像（動画データ）受信すると、例えば後述する実施の形態４のＲＡＭ（動画データ記憶部の一例）などに監視映像を一時的に格納する。また、蓄積映像装置（動画圧縮装置）は、履歴情報（評価情報）が収集されると、収集された履歴情報をＲＡＭ（評価情報記憶部の一例）などに記憶する。そして、映像評価部２２（評価部）は、履歴情報（評価情報）に評価点計算係数テーブル（所定の評価規則の一例）を適用することによって、動画データに対応する評価点（評価値）を算出する。蓄積映像管理部２１（圧縮部の一例）は、映像評価部２２によって算出された評価値点に応じた圧縮方式で、評価値点に対応する動画データを圧縮する圧縮処理を実行する。この「圧縮処理」には、上記でのべたように、算出された評価点が所定の値の場合には評価点に対応する動画データを圧縮することなく、前記ＲＡＭから消去、すなわち動画データは蓄積せず、一時的に格納していた収集された動画データも削除する場合や、特定の評価点の場合には、圧縮することなくそのまま格納する場合を含む。圧縮方式には「ｆｐｓ」を下げる場合や、データの間引きなどを含む。
圧縮方式には「Ｈ．２６４」等の圧縮率の高い動画方式へ変換する方法の他、「ｆｐｓ」を下げるなどの方法によりデータを間引く場合を含む。
【００５４】
映像蓄積装置２０は、蓄積映像管理部２１（圧縮部）によって蓄積すると判断された（圧縮または圧縮せずにそのまま保存と判断された）動画データを蓄積映像ＤＢ２５（不揮発性のたとえばＨＤＤ）に蓄積する。蓄積映像管理部２１は、圧縮された動画データの元データである動画データを、一時的に記憶しているＲＡＭから消去する。
【００５５】
実施の形態２．
次に図１１〜図１６を参照して、実施の形態２の監視映像蓄積システム１００Ｂ（動画配信システム）を説明する。監視映像蓄積システム１００Ｂは、収集予定の映像ファイル評価をユーザに提示し、その結果に応じて映像を収集する。実施の形態１では映像のバックアップ映像を評価後（バックアップ映像に対応する評価対象となる履歴情報（評価情報）を評価後）、評価点算出用係数テーブル２６４などの事前設定により、プログラムで自動的に処理する。これに対し、実施の形態２では、映像のバックアップにおいて、評価結果を一旦システム利用者（ユーザ）に提示する点が異なる。実施の形態２では、システム利用者は、提示された映像評価情報をＧＵＩ（グラフィカル・ユーザ・インタフェース）等で確認後、映像収集・蓄積の指示を行う。
【００５６】
図１１は実施の形態２における監視映像蓄積システム１００Ｂの概要を示すシステム構成図である。
図１２は、監視映像蓄積システム１００Ｂの動作シーケンスを示す。図１１、図１２を用いて監視映像蓄積システム１００Ｂの動作概要を説明する。
【００５７】
監視映像蓄積システム１００Ｂは遠隔映像ダビングに関する。遠隔映像ダビングは、拠点監視映像レコーダに蓄積された映像コンテンツを、映像ファイル形式で取り出し映像蓄積サービス（センター）に転送し、インターネット回線を使い映像ポータルを介してユーザに閲覧可能とするサービスである。
（１）Ｓ２１：遠隔映像ダビング利用者は、拠点監視レコーダに記録された拠点の監視カメラＡの映像取得要求を出す。取得要求においては、監視カメラＡを特定するＩＤのほか、取得する映像の開始日時、終了日時を指定して行う。
（２）Ｓ２２：映像ポータルは入退管理装置（センター）から、監視カメラＡに関連づいた扉Ａについて、指定された開始日時から終了日時までの入退数を表示する。さらに映像ファイル評価機能により、映像ファイルのプレ評価行い、評価点を表示する。映像評価は、例えば、監視カメラＡで撮影している部屋の重要度、部屋内の在室者数、扉の通行数、撮影時間帯などをパラメータとする関数により評価を行う。
（３）Ｓ２３：映像ダビングサービス利用者は、表示された情報により映像取得をするかしないかの指定、拠点監視レコーダから取得する映像の「フレームレート」を指定し、ダビング要求を出す。
（４）Ｓ２４：ダビング要求は映像受信装置を介して映像送信装置に送信される。映像送信装置（拠点）は、監視レコーダに蓄積された映像を映像ファイル化しセンターの映像受信装置（センター）に送信する。映像受信装置は、受信した映像ファイルを映像蓄積サーバに保存し、映像ポータルを介して参照可能にする。保存後映像ポータルに受信完了を表示する。
（５）Ｓ２５：ユーザはダウンロードされた映像を参照する。
本システムにより、ユーザが必要な映像のみをダウンロード可能とすることでネットワーク帯域やストレージの効率化が図れる。また結果的に待ち時間が短縮されるので利便性が向上する効果がある。
【００５８】
図１３は、実施の形態２の監視映像蓄積システム１００Ｂの構成を示す図である。図１３は、実施の形態１を示す図３に対して、映像蓄積装置２０が映像指示／評価結果表示部２９を備えている。また、図１３では、利用者端末７０、Ｆｉｒｅｗａｌｌ（以下、Ｆ／Ｗという）７１及びインターネット７２が追加されている。他は図１３と同様である。映像指示／評価結果表示部２９は、利用者が収集対象とする監視カメラや収集時間帯を指定するためのユーザインタフェースを生成する。映像蓄積装置２０は、Ｆ／Ｗ７１及びインターネット７２を介して、利用者端末７０に接続可能である。利用者は利用者端末７０を介して操作を行う。
【００５９】
図１４は、実施の形態２の監視映像蓄積システム１００Ｂの動作を示すフローチャートである。図１４を用いて、監視映像蓄積システム１００Ｂの動作を説明する。
【００６０】
まず、ステップＳ２０１において、「映像指示／評価結果表示部２９」は、利用者端末７０の表示装置の画面にユーザ用画面を表示する。図１５は、ユーザ用画面１０２の表示例を示す。「映像指示／評価結果表示部２９」は、ユーザ用画面１０２として、図１５に示すように、
（１）収集対象とするビル（場所）、
（２）監視カメラ（機器）、
（３）ビル内レコーダに蓄積された監視映像の収集開始時刻、
（４）及び収集終了時刻（時間）、
を指定する画面を表示する。
なお、「映像指示／評価結果表示部２９」は、ユーザ用画面１０２を表示する前に利用者認証を行い、当該利用者がアクセス可能な対象機器を表示する。利用者は表示された場所、機器、時刻を選択または入力し、「実行」ボタンを押すことで、映像蓄積装置２０（サーバ）に、通信路を介して入力値を送信する。
【００６１】
ステップＳ２０２で、「映像指示／評価結果表示部２９」は、利用者から送信された入力値を受信し、プログラム内に読み込む。
【００６２】
ステップＳ２０３では、「映像指示／評価結果表示部２９」は、機器関連付けテーブル２６１を読み込み、指定された監視カメラに関連する映像評価装置（認証装置、電気錠等）を特定する。
【００６３】
関連付けられた評価装置があるかどうかの判断をＳ２０４で判定する。「映像指示／評価結果表示部２９」は、評価装置がある場合は、ステップＳ２０５で関連する評価装置に関する履歴情報を、評価情報収集部２３を用いて収集する。たとえば、監視カメラに関連づけられた入退認証装置があれば、当該入退認証装置の指定された時間内の履歴情報を収集し、収集しようとしている監視映像の評価付けを行う。
【００６４】
Ｓ２０４において、「映像指示／評価結果表示部２９」は、当該監視カメラに関連付けられた映像評価装置がなければデフォルトの処理を行う。収集しようとする監視映像の評価が不明の場合、指定されたとおりに収集するのが通常の処理であるが、映像の収集・蓄積の運用ポリシーであるのでこれは逆に収集しないという処理であってもかまわない。デフォルトの処理は設定等で指定できるようにすることもできる。
【００６５】
ステップＳ２０６ではステップＳ１０５と同様に、映像評価部２２が、評価情報収集部２３によって収集された履歴情報と、評価点計算用テーブル係数２６４を用いて、収集予定の映像の評価点Ｓを計算することにより、映像の評価を行う。
【００６６】
ステップＳ２０７では、「映像指示／評価結果表示部２９」は、ステップＳ２０６で計算された評価点の計算結果等を利用者に表示し、収集しようとする監視映像の重要度を表示する。
図１６は、「映像指示／評価結果表示部２９」によって利用者端末７０の表示装置に表示される計算結果を示す表示画面１０３の例を示す図である。
【００６７】
表示画面１０３内の領域１０４は、利用者がユーザ用画面１０２で指定した監視カメラ、時刻等の入力値及び機器属性テーブル等の情報から収集した関連情報を表示する領域である。
【００６８】
表示画面１０３内の領域１０５以下の部分は、利用者によって指定された監視映像に関する評価用情報、評価結果（評価点）を表示する領域である。指定された監視カメラに関連づけられた映像用評価機器（ここでは入退室管理の入退認証装置）、指定された監視映像の収集単位毎の映像評価点、評価用の履歴データ（入退室数、認証エラー数、警備・警報数など）を表示する。
【００６９】
利用者は評価点や評価用の履歴データを参照し、収集する監視映像をファイル取得指定部１０６で指定する（表示画面１０３の領域１０６ではリストボックス形式で指定する場合を示しているが、他の方法で指定してもよい）。収集する監視映像を利用者は選択し、実行ボタンを押すことで収集を指示する。
【００７０】
ステップＳ２０８において「映像指示／評価結果表示部２９」は、入力値を解析し、指定された監視映像があれば、映像収集部２４により監視映像送信装置３４に映像送信要求を行う。
【００７１】
ステップＳ２０９において、監視映像送信装置３４は、監視映像記録装置３２内に保存された指定された監視カメラ３１の監視映像を抽出し、映像蓄積装置２０に映像ファイルを送信する。
【００７２】
ステップＳ２１０において、「映像指示／評価結果表示部２９」は、指定されたファイルの収集の完了を利用者端末７０の画面上に通知する。また、「映像指示／評価結果表示部２９」は、利用者の求めに応じて収集した監視映像を再生する。
【００７３】
以上のように、監視映像の収集前に映像の重要度を利用者の表示することで、事前に収集映像を絞りこむことを可能にする。利用者は監視映像中、例えば動きがあった映像のみを収集すればよい。このため、映像の収集時間を短縮し、ネットワーク負荷やディスク使用量を軽減できるというメリットがある。
【００７４】
実施の形態３．
次に図１７〜図２０を参照して、実施の形態３の監視映像蓄積システム１００Ｃを説明する。監視映像蓄積システム１００Ｃは、拠点側で映像評価を行い、評価結果に応じてファイル転送処理を行う。実施の形態３では、実施の形態１における監視映像の評価をセンター内でなく、拠点側で実施する。
【００７５】
すなわち、実施の形態３では、実施の形態１のように映像評価機能をセンター内の映像蓄積装置２０に持つのではなく、拠点側の機器に配置する。実施の形態３の監視映像蓄積システム１００Ｃでは、映像評価部２２を監視映像送信装置３４内に配置した。すなわち実施の形態３では、通常映像が一次蓄積される拠点ビル内で映像の評価を行う。
【００７６】
図１７は実施の形態３における監視映像蓄積システム１００Ｃの概要を示すシステム構成図である。
図１８は、監視映像蓄積システム１００Ｂの動作シーケンスを示す。図１７、図１８を用いて監視映像蓄積システム１００Ｃの動作概要を説明する。
【００７７】
実施の形態３は、実施の形態１の派生である。システム構成としては、センターに設置していた映像ファイル評価機を拠点側に設置し、拠点側で評価した後転送する。例えば、監視レコーダに記録した監視カメラ映像を映像送信装置が常にセンターに送信し、映像蓄積サーバに長期蓄積するような場合である。入退の少ない時間帯はコマを落とした（例えば１ｆｐｓ）映像として記録し、入退の多い時間帯は密度を上げて記録したいような場合ケースを想定する。例えば１０分単位の映像ファイルを生成し、センターに転送・蓄積するようなケースを考える。
（１）Ｓ３１：映像送信装置（拠点側）は、映像ファイル評価機能に、取得しようとする映像の開始・終了時間（０９：００−０９：１０）を指定して映像評価点を取得する。
（２）Ｓ３２：映像圧縮機能は、映像評価点に応じて、監視レコーダから映像ファイルを生成する際のパラメータを決定する。パラメータ（圧縮方式の一例）はコマ数等（ｆｐｓ値、画像精細度など）である。例えば評価点が１なら１ｆｐｓで記録し、評価点が満点（１０）なら最大フレームレート（３０ｆｐｓなど）とする。
（３）Ｓ３３：映像送信装置は監視レコーダより決定したパラメータで映像ファイルを一次的に生成する。生成したファイルを映像受信装置に転送した後、一次生成ファイルを削除する。これにより、映像を必要に応じた記録レートで長期記録することができ、ネットワーク帯域やセンターのストレージ利用の効率化が可能になる。
【００７８】
まず、図１９を利用して、監視映像蓄積システム１００Ｃの構成を説明する。監視映像送信装置３４内の構成は次のとおりである。実施の形態１で映像蓄積装置２０内に配置していた映像評価部２２、評価情報収集部２３、機器関連付けテーブル２６１、送信条件テーブル３６を監視映像送信装置３４内に配置する。このほか、機器属性テーブル２６３も場合によっては監視映像送信装置に配置してもよい。
【００７９】
前述のように映像評価は、監視カメラに関連づけられた入退認証装置の履歴情報（電気錠制御盤４１内の履歴情報４６）をもとに評価する。従って、監視カメラ３１に関連づけられた映像評価装置の履歴収集は同一拠点内の電気錠制御盤４１に問い合わせることにより収集することになる。
【００８０】
なお、監視カメラと電気錠制御盤のシステム配置状況によっては、実施の形態１と同様に入退室管理装置に集約された全履歴情報から評価情報を収集してもよい。
【００８１】
図２０は、監視映像蓄積システム１００Ｃの動作を示フローチャートである。図２０を参照して監視映像蓄積システム１００Ｃの動作を説明する。
【００８２】
ステップＳ３０１において、映像蓄積装置２０の蓄積映像管理部２１は、映像収集する監視カメラを特定する。監視カメラＩＤや映像収集の開始・終了時刻はステップＳ３０１の開始時に引数として与えられる。
【００８３】
ステップＳ３０２では、蓄積映像管理部２１は、機器関連付けテーブル２６１−１（設定ファイル）により、特定された監視カメラに対応する認証装置を特定する。これはステップＳ１０２と同様である。
【００８４】
ステップＳ３０３では、蓄積映像管理部２１は、指定された監視カメラに関連付けられた評価装置、すなわち映像を評価するために関連づけられた映像評価用装置であるセキュリティ機器（例：入退室認証装置や電気錠制御盤）を検索する。機器の関連付けは一般に事前に設定情報（図５の機器関連付けテーブル（２６１−１））として与えておく。対応する評価用機器がある場合は、ステップＳ３０４以降において収集予定の映像の事前評価を行う。
【００８５】
ステップＳ３０３で関連する評価装置が抽出できない場合、収集予定の映像を他の手段で評価することができない。このため、この場合は、処理はデフォルトの処理に推移する。通常デフォルトの処理は、映像をそのまま送信する処理であり、ステップＳ３０７にジャンプし監視映像記録装置３２より抽出し映像蓄積装置２０に送信する。
【００８６】
ステップＳ３０４では、評価情報収集部２３が、映像評価装置（入退室管理装置）である電気錠制御盤４１（入退室管理装置）から評価情報を収集する。すなわち、図５に示すように、電気錠制御盤４１は、入退認証装置４２、電気錠４３の履歴情報を履歴ＤＢ４６に蓄積しているからである。具体的には履歴情報ＤＢ４６のうち、映像収集予定期間（開始時刻から終了時刻まで）の当該監視カメラに関連する電気錠制御盤、扉、認証装置の履歴情報を収集する。
【００８７】
ステップＳ３０５では、映像評価部２２が、収集された履歴情報と、図７に示した評価点計算用係数テーブル２６４とを用いて、収集予定の映像の評価点Ｓを計算することにより映像の評価を行う。
【００８８】
ステップＳ３０６では、映像評価部２２（圧縮部の一例）は、評価点と閾値とにより、監視映像をバックアップするかを判定し、閾値以上であればステップＳ３０７の処理で監視映像バックアップ処理を行う。閾値以下であれば、Ｓ１０６の場合と同様に、映像蓄積装置２０内へその履歴情報に対応する映像を保存する重要性が低いため、以後の処理をスキップし処理を終了する。
【００８９】
ステップＳ３０７では、監視映像送信装置３４は監視映像記録装置３２から該当する映像ファイルを抽出する。抽出した映像は、映像送信部３５により映像蓄積装置２０に対して映像送信処理を行う。映像送信の際にはステップＳ３０５で評価した評価点情報や、監視カメラのＩＤ・属性、抽出した映像の開始・終了時刻、抽出した映像ファイルに関するメタ情報等を送信してもよい。
【００９０】
上記のように処理すると、拠点ビル内でバックアップすべき映像の評価・抽出を行うことで処理を分散できるため、映像蓄積装置２０の処理負荷を分散することができるメリットがある。また、映像の評価用情報は主としてビル拠点内のローカル通信ネットワーク１０（通常は設備用ＬＡＮ）を介して収集できるため、不要な情報の転送を減らすことができる。
【００９１】
また、入退室履歴情報はセキュリティ情報であるため、センターの入退室管理システムに蓄積することが許可されない場合も多い。実施の形態３によれば、セキュリティ情報はビル拠点内部に止まるため、セキュリティ情報を流出させるリスクも小さくなるメリットがある。実際、このような形態での運用を求められることも多い。
【００９２】
実施の形態３では監視映像送信装置３４が動画圧縮装置の機能を持つ。監視映像送信装置３４（動画圧縮装置）は監視映像送信装置３４から監視映像（動画データ）を受信すると、例えば後述する実施の形態４のＲＡＭ（動画データ記憶部の一例）などに監視映像を一時的に格納する。また、監視映像送信装置３４（動画圧縮装置）は、履歴情報（評価情報）が収集されると、収集された履歴情報をＲＡＭ（評価情報記憶部の一例）などに記憶する。そして、監視映像送信装置３４の映像評価部２２（評価部）は、履歴情報（評価情報）に評価点計算係数テーブル（所定の評価規則の一例）を適用することによって、動画データに対応する評価点（評価値）を算出する。映像評価部２２（圧縮部の一例）は、算出した評価値点に応じた圧縮方式で、評価値点に対応する動画データを圧縮する圧縮処理を実行する。この「圧縮処理」は、実施の形態１の最後でのべたように、算出された評価点が所定の値の場合には評価点に対応する動画データを圧縮することなく、前記ＲＡＭから消去、すなわち動画データは蓄積せず、一時的に格納していた収集された動画データも削除する場合や、特定の評価点の場合には、圧縮することなくそのまま格納する場合を含む。圧縮方式には「ｆｐｓ」を下げる場合や、データの間引きなどを含む。
【００９３】
実施の形態３の監視映像送信装置３４（動画圧縮装置）は、映像評価部２２（圧縮部の一例）によって圧縮された動画データを、映像送信部３５により、ネットワークを介して映像蓄積装置２０に送信する。
【００９４】
以上の実施の形態によれば、映像の重要度を入退室管理装置（電気錠制御盤）を始めとする映像評価用機器の履歴情報を利用して事前評価することにより、収集にかかわるネットワーク帯域や蓄積領域の削減を図ることによりシステムコストを抑えることができる。
【００９５】
以上の実施の形態では、映像評価用機器として、入退室管理装置（電気錠制御盤に集まる履歴情報）を例にして説明したが、映像評価用の機器は撮影された映像の評価情報を蓄積する機器であればこれに限定しない。
【００９６】
例えば、銀行のＡＴＭコーナであれば、ＡＴＭの操作履歴を利用して評価することができる。すなわち、ＡＴＭによって入出金等の操作を行った時間帯の映像に重みをつけることで、高いフレームレートで映像を長期保存する一方、操作がされなかった時間帯の映像については最低フレームレートの映像を抽出して保存しておく、などの応用が可能である。
【００９７】
また別の例として、監視カメラの動態検知イベント履歴を利用することもできる。監視カメラの機種によっては監視カメラ内に検知した移動体の時刻蓄積したり、イベントを履歴サーバに送信できる機種がある。このような場合、監視カメラの動態検知履歴を使って映像を評価することができる。さらに高度な画像解析機能により、移動体の種別（小動物、人物等）を判別し、人物であれば高い重みをつけて映像を評価することができる。
【００９８】
また、画像解析による不審物の置き去り去り検知機能をもつシステムや侵入検知システムからの履歴を利用して画像を評価することができる。
【００９９】
また、エレベータ内に設置された監視カメラの評価を行う際には、エレベータの運行履歴、あばれ検知履歴等の履歴情報を利用して映像を評価することができる。たとえば、エレベータが動いていない（停止中）の映像や、エレベータ動いていてもエレベータのカゴ内に人がいない場合（配車中）の映像は重要度が低いため長期バックアップする必要がないため、上記方式により監視レコーダに一次記録されたこれらの時間帯の映像をカットしてバックアップする場合に応用できる。
【０１００】
上記説明において、評価点の計算方法については、簡単な例を示したが、評価装置の種別（入退室管理装置、侵入検知装置、ＡＴＭログ、画像解析による移動体検知装置、等）に応じて監視レコーダ（監視映像記録装置３２）に記録された映像の重みをつけることもできる。
【０１０１】
以上のように、一次記録された監視映像を長期バックアップする際に、記録された映像に関連する機器の履歴情報により映像の重要度を評価し、この情報をもとに映像を転送・蓄積することでネットワークや記録装置の投資・運用コストを削減することができるメリットがある。
また、不要な映像を削減することで利用者（映像監視員等）は、注目すべき記録映像を効率的に監視できるメリットも生ずる。
【０１０２】
実施の形態４．
実施の形態４は、コンピュータである映像蓄積装置２０のハードウェア構成を説明する。
図２１は、コンピュータである映像蓄積装置２０の外観の一例を示す図である。なお、各実施の形態の入退室管理装置５０、監視映像送信装置３４も映像蓄積装置２０と同様の外観及びハードウェア構成のコンピュータである。従って映像蓄積装置２０についての以下の説明は、入退室管理装置５０、監視映像送信装置３４にも当てはまる。
【０１０３】
外観を示す図２１において、映像蓄積装置２０は、システムユニット８３０、ＣＲＴ（Ｃａｔｈｏｄｅ・Ｒａｙ・Ｔｕｂｅ）やＬＣＤ（液晶）の表示画面を有する表示装置８１３、キーボード８１４（Ｋｅｙ・Ｂｏａｒｄ：Ｋ／Ｂ）、マウス８１５、ＦＤＤ８１７（Ｆｌｅｘｉｂｌｅ・Ｄｉｓｋ・  Ｄｒｉｖｅ）、コンパクトディスク装置８１８（ＣＤＤ：Ｃｏｍｐａｃｔ  Ｄｉｓｋ  Ｄｒｉｖｅ）、プリンタ装置８１９などのハードウェア資源を備え、これらはケーブルや信号線で接続されている。システムユニット８３０はネットワークを介して、ネットワークに接続している。
【０１０４】
図２２は、映像蓄積装置２０のハードウェア資源を示す図である。映像蓄積装置２０は、プログラムを実行するＣＰＵ８１０（Ｃｅｎｔｒａｌ  Ｐｒｏｃｅｓｓｉｎｇ  Ｕｎｉｔ）を備えている。ＣＰＵ８１０は、バス８２５を介してＲＯＭ（Ｒｅａｄ  Ｏｎｌｙ  Ｍｅｍｏｒｙ）８１１、ＲＡＭ（Ｒａｎｄｏｍ  Ａｃｃｅｓｓ  Ｍｅｍｏｒｙ）８１２、表示装置８１３、キーボード８１４、マウス８１５、通信ボード８１６、ＦＤＤ８１７、ＣＤＤ８１８、プリンタ装置８１９、磁気ディスク装置８２０と接続され、これらのハードウェアデバイスを制御する。磁気ディスク装置８２０の代わりに、光ディスク装置、フラッシュメモリなどの記憶装置でもよい。
【０１０５】
ＲＡＭ８１２は、揮発性メモリの一例である。ＲＯＭ８１１、ＦＤＤ８１７、ＣＤＤ８１８、磁気ディスク装置８２０等の記憶媒体は、不揮発性メモリの一例である。これらは、「記憶装置」あるいは記憶部、格納部、バッファの一例である。通信ボード８１６、キーボード８１４、ＦＤＤ８１７などは、入力部、入力装置の一例である。また、通信ボード８１６、表示装置８１３、プリンタ装置８１９などは、出力部、出力装置の一例である。
【０１０６】
通信ボード８１６は、ネットワーク（ＬＡＮ等）に接続されている。通信ボード８１６は、ＬＡＮに限らず、インターネット、ＩＳＤＮ等のＷＡＮ（ワイドエリアネットワーク）などに接続されていても構わない。
【０１０７】
磁気ディスク装置８２０には、オペレーティングシステム８２１（ＯＳ）、ウィンドウシステム８２２、プログラム群８２３、ファイル群８２４が記憶されている。プログラム群８２３のプログラムは、ＣＰＵ８１０、オペレーティングシステム８２１、ウィンドウシステム８２２により実行される。
【０１０８】
上記プログラム群８２３には、以上の実施の形態１の説明において「〜部」として説明した機能を実行するプログラムが記憶されている。プログラムは、ＣＰＵ８１０により読み出され実行される。
【０１０９】
ファイル群８２４には、以上の実施の形態の説明において、「〜の判定結果」、「〜の算出結果」、「〜の抽出結果」、「〜の生成結果」、「〜の処理結果」として説明した情報や、データや信号値や変数値やパラメータなどが、「〜ファイル」や「〜データベース」（ＤＢ）の各項目として記憶されている。「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ８１０によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示のＣＰＵの動作の間、情報やデータや信号値や変数値やパラメータは、メインメモリやキャッシュメモリやバッファメモリに一時的に記憶される。
【０１１０】
また、以上に述べた実施の形態の説明において、データや信号値は、ＲＡＭ８１２のメモリ、ＦＤＤ８１７のフレキシブルディスク、ＣＤＤ８１８のコンパクトディスク、磁気ディスク装置８２０の磁気ディスク、その他光ディスク、ミニディスク、ＤＶＤ（Ｄｉｇｉｔａｌ・Ｖｅｒｓａｔｉｌｅ・Ｄｉｓｋ）等の記録媒体に記録される。また、データや信号は、バス８２５や信号線やケーブルその他の伝送媒体によりオンライン伝送される。
【０１１１】
また、以上の実施の形態の説明において、「〜部」として説明したものは、「〜手段」、「〜回路」、「〜機器」であってもよく、また、「〜ステップ」、「〜手順」、「〜処理」であってもよい。すなわち、「〜部」として説明したものは、ＲＯＭ８１１に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ８１０により読み出され、ＣＰＵ８１０により実行される。すなわち、プログラムは、以上に述べた「〜部」としてコンピュータを機能させるものである。あるいは、以上に述べた「〜部」の手順や方法をコンピュータに実行させるものである。
【０１１２】
なお、以上の実施の形態では、映像圧縮装置を説明したが、映像圧縮装置の動作を、映像圧縮方法あるいは映像圧縮プログラムとして把握することも可能である。
【符号の説明】
【０１１３】
１０  ローカル通信ネットワーク、１１  遠隔通信ネットワーク、１００Ａ，１００Ｂ，１００Ｃ  監視映像蓄積システム、２０  映像蓄積装置、２１  蓄積映像管理部、２２  映像評価部、２３  評価情報収集部、２４  映像収集部、２５  蓄積映像ＤＢ、２６  テーブル格納部、２６１−１，２６１−２  機器関連付けテーブル、２６２  蓄積条件テーブル、２６３  機器属性テーブル、３０  映像監視システム、３１  監視カメラ、３２  監視映像記録装置、３３  監視映像表示装置、３４  監視映像送信装置、４１  電気錠制御盤、４２  入退認証装置、４３  電気錠、４４  ＩＣカード、４５  部屋、４６  履歴情報ＤＢ、５００  入退室管理システム、５０  入退室管理装置、５１  入退履歴収集部、５２  全履歴情報ＤＢ。
【図１】
2012039284.tif 000004
【図２】
2012039284.tif 000005
【図３】
2012039284.tif 000006
【図４】
2012039284.tif 000007
【図５】
2012039284.tif 000008
【図６】
2012039284.tif 000009
【図７】
2012039284.tif 000010
【図８】
2012039284.tif 000011
【図９】
2012039284.tif 000012
【図１０】
2012039284.tif 000013
【図１１】
2012039284.tif 000014
【図１２】
2012039284.tif 000015
【図１３】
2012039284.tif 000016
【図１４】
2012039284.tif 000017
【図１５】
2012039284.tif 000018
【図１６】
2012039284.tif 000019
【図１７】
2012039284.tif 000020
【図１８】
2012039284.tif 000021
【図１９】
2012039284.tif 000022
【図２０】
2012039284.tif 000023
【図２１】
2012039284.tif 000024
【図２２】
2012039284.tif 000025